(57)【要約】【課題】本考案は、タオルへ名札等の表示シートを簡便に取付けたり取外したりできるようにした着脱式表示シート付きタオルを提供することを課題とする。【解決手段】タオル１の端部に、ループ状表面繊維２ｆをそなえた基板２が装着されるとともに、同基板２のループ状表面繊維に対し着脱可能のフック状表面繊維３ｆをそなえた離接板３設けられて、上記の基板２と離接板３とにより面ファスナーＦが構成される。白色または淡色の表示シートとしての離接板３には、温泉旅館などで各宿泊客の名前を記入するのに用いられ、タオル１の使用時の違和感を軽減するため、基板２および離接板３の隅角部２ｃ，３ｃは弧状に丸められる。【選択図】　図１
0003097575.tif 000002
【実用新案登録請求の範囲】
【請求項１】
タオルの端部に、面ファスナーにおけるループ状の表面繊維を有する基板が装着されるとともに、同基板に対し着脱可能に設けられて同基板と共に面ファスナーを構成するフック状の表面繊維をそなえた表示シートとしての白色または淡色の離接板が設けられ、上記の基板および離接板の隅角部が弧状に丸められていることを特徴とする、着脱式表示シート付きタオル。
【考案の詳細な説明】
【０００１】
【考案の属する技術分野】
本考案は、タオルの端部に着脱可能の表示シートを備えた、着脱式表示シート付きタオルに関する。
【０００２】
【従来の技術】
従来、幼稚園児などが用いるハンカチ等に名札を付けるようにしたものが開発されているが、温泉地などの旅館で用いられる宿泊客用タオルに各宿泊客の名札を付けるようにする場合は、その名札装着に手間がかかるため未だ普及はされていない。
【０００３】
【考案が解決しようとする課題】
そこで本考案は、タオルへ名札等の表示シートを簡便に取付けたり取外したりできるようにした着脱式表示シート付きタオルを提供することを課題とする。
【０００４】
【課題を解決するための手段】
前述の課題を解決するため、本考案の着脱式表示シート付きタオルは、タオルの端部に、面ファスナーにおけるループ状の表面繊維を有する基板が装着されるとともに、同基板に対し着脱可能に設けられて同基板と共に面ファスナーを構成するフック状の表面繊維をそなえた表示シートとしての白色または淡色の離接板が設けられ、上記の基板および離接板の隅角部が弧状に丸められていることを特徴としている。
【０００５】
上述の本考案の着脱式表示シート付きタオルでは、タオルの端部にループ状の表面繊維を有する基板が、ミシンがけまたは接着剤などにより取付けられるとともに、同基板と共に面ファスナーを構成するフック状の表面繊維をそなえた白色または淡色の表示シートとしての離接板が設けられるので、同離接板を着脱自在の名札などとして用いることができる。
【０００６】
したがって、温泉旅館などで団体客に上記タオルを配布した場合には、各宿泊客は離接板に記載された名前により自己のタオルを容易に視認することができる。そして、浴場で用いる際には上記表示シートとしての離接板を外して、脱衣籠に装着されている上記基板と同様の部材に取付けることができる。
【０００７】
また、風呂場での上記タオルの使用時には上記離接板が上記タオルに装着された基板から取外されるので、柔軟なタオルとして、使用時の違和感を緩和することができる。
【０００８】
その際、上記ループ状の表面繊維を有する基板は、上記フック状の表面繊維をそなえた離接板と比べて柔軟性が高いので、上記タオルの使用前に名札としての上記離接板を取外すことにより、タオルの使用に際しての違和感を一層緩和することができる。
【０００９】
さらに、上記面ファスナーを構成する上記の基板および離接板は、いずれも隅角部を弧状に丸められているので、これらを取付けたまま上記タオルを用いても、皮膚を傷めることはない。
【００１０】
【考案の実施の形態】
以下、図面により本考案の一実施形態としての着脱式表示シート付きタオルについて説明すると、図１はその平面図、図２は図１のＡ−Ａ矢視拡大断面図である。
【００１１】
図１に示すように、タオル１の一端部を下方に向けた場合の同端部の左隅角部に、タオル下端縁と平行に延在する面ファスナーＦの基板２が、ミシンがけまたは接着剤などの手段で装着されている。
【００１２】
そして、基板２には、同基板２と共に面ファスナーＦを構成する離接板３が、基板２の左端からやや右方へずれるようにして取付けられるように構成されている。すなわち、離接板３の長さは基板２よりもやや短くなっており、このようにして基板２の左端部には、タオル使用者が左手の親指４で押圧しうる余白部２ａが形成されている。
【００１３】
面ファスナーＦにおける基板２は、図２に示すように、多数のループ状の細い表面繊維２ｆを有し、また基板２に対し着脱可能の離接板３は多数のフック状のやや太めの表面繊維３ｆを有していて、基板２に離接板３を押し付けると、多数のループ状表面繊維２ｆを掻き分けるようにして侵入したフック状表面繊維３ｆが、同ループ状表面繊維２ｆに係合するようになる。
【００１４】
このようにして、離接板３を着脱可能にそなえる基板２は、その表面繊維２ｆが離接板３の表面繊維３ｆよりも細い繊維で形成されるため、離接板３よりも柔軟な性状をそなえている。
【００１５】
さらに、本実施形態では、面ファスナーＦを構成する基板２および離接板３の各四隅の隅角部２ｃ，３ｃは、タオル使用者の肌を傷めないように弧状に丸められている。
【００１６】
上述の本実施形態の着脱式表示シート付きタオルでは、タオル１の端部にループ状の表面繊維２ｆを有する基板２が、ミシンがけまたは接着剤などにより取付けられるとともに、同基板２と共に面ファスナーＦを構成するフック状の表面繊維３ｆをそなえた白色または淡色の表示シートとしての離接板３が設けられるので、同離接板３を着脱自在の名札などとして用いることができる。
【００１７】
したがって、温泉旅館などで団体客にタオル１を配布した場合には、各宿泊客は離接板３に記載された名前により自己のタオルを容易に視認することができる。そして、浴場で用いる際には上記表示シートとしての離接板３を外して、脱衣籠に装着されている基板２と同様の部材に取付けることができる。
【００１８】
また、風呂場でのタオル１の使用時には離接板３がタオル１に装着された基板２から取外されるので、柔軟なタオルとして、使用時の違和感を緩和することができる。
【００１９】
その際、ループ状の表面繊維２ｆを有する基板２は、フック状の表面繊維３ｆをそなえた離接板３と比べて柔軟性が高いので、タオル１の使用前に名札としての離接板３を取外すことにより、タオルの使用に際しての違和感を一層緩和することができる。
【００２０】
さらに、面ファスナーＦを構成する基板２および離接板３は、いずれも隅角部２ｃ，３ｃを弧状に丸められているので、これらを取付けたままタオル１を用いても、皮膚を傷めることはない。
【００２１】
また、本実施形態では、基板２に離接板３が装着された状態でも、基板２の左端部には、余白部２ａが露出しているので、離接板３を外す場合には、基板２の余白部２ａを左手の親指で押さえるようにしながら、右手の親指と人差指とで離接板３の左端をつまむようにして、同離接板３を容易に剥がすことができる。
【００２２】
【考案の効果】
以上詳述したように、本考案の着脱式表示シート付きタオルによれば、次のような効果が得られる。
（１）　タオルの端部にループ状の表面繊維を有する基板が、ミシンがけまたは接着剤などにより取付けられるとともに、同基板と共に面ファスナーを構成するフック状の表面繊維をそなえた白色または淡色の表示シートとしての離接板が設けられるので、同離接板を着脱自在の名札などとして用いることができる。
（２）　したがって、温泉旅館などで団体客に上記タオルを配布した場合には、各宿泊客は離接板に記載された名前により自己のタオルを容易に視認することができる。そして、浴場で用いる際には上記表示シートとしての離接板を外して、脱衣籠に装着されている上記基板と同様の部材に取付けることができる。
（３）　風呂場での上記タオルの使用時には上記離接板が上記タオルに装着された基板から取外されるので、柔軟なタオルとして、使用時の違和感を緩和することができる。
（４）　上記ループ状の表面繊維を有する基板は、上記フック状の表面繊維をそなえた離接板と比べて柔軟性が高いので、上記タオルの使用前に名札としての上記離接板を取外すことにより、タオルの使用に際しての違和感を一層緩和することができる。
（５）　上記面ファスナーを構成する上記の基板および離接板は、いずれも隅角部を弧状に丸められているので、これらを取付けたまま上記タオルを用いても、皮膚を傷めることはない。
【図面の簡単な説明】
【図１】本考案の一実施形態としての着脱式表示シート付きタオルを示す平面図である。
【図２】図１のＡ−Ａ矢視拡大断面図である。
【符号の説明】
１　タオル
２　基板
２ａ　余白部
２ｃ　基板の隅角部
２ｆ　ループ状表面繊維
３　離接板
３ｃ　離接板の隅角部
３ｆ　フック状表面繊維
４　親指
Ｆ　面ファスナー
【図１】
0003097575.tif 000003
【図２】
0003097575.tif 000004